(57)【要約】【課題】フィッテイング作業がスムーズに行える補聴器を提供する。【解決手段】本発明は、耳掛用に湾曲させた耳掛け部１と、この耳掛け部１の前端側に結合したイヤホン２と、前記耳掛け部１の後端側に結合した本体ケース３とを備え、前記本体ケース３の後端部内には、電池ケース１３を回動出没自在に配置し、この本体ケース３内であって、前記電池ケース１３の回動引出時に、本体ケース３外に表出する部分に、フィッテイング用の通信用端子１７を配置し、前記電池ケース１３には、この電池ケース１３の前記本体ケース３内への回動収納時に、本体ケース３に係合させるロック用突起３ｄと、この本体ケース３内の前記通信用端子１７に対向する押圧突起１３ｃを設けた。【選択図】図６
2011009799.tif 000002
【特許請求の範囲】
【請求項１】
耳掛用に湾曲させた耳掛け部と、この耳掛け部の前端側に結合したイヤホンと、前記耳掛け部の後端側に結合した本体ケースとを備え、前記本体ケースは、その前端側から後端側に向けて、放物線状に湾曲しながら下方に下がった形状とし、この本体ケース内に前方側マイクロフォンと、後方側マイクロフォンを配置するとともに、この本体ケースの外壁面で、本体ケースの前端側部分に設けた前方側音孔と前記前方側マイクロフォンは、前方側導音路を介して音響的に接続し、前記前方側音孔よりも後方の本体ケースの外壁面に設けた後方側音孔と前記後方側マイクロフォンは、後方側導音路を介して音響的に接続し、前記本体ケースの後端部内には、電池ケースを回動出没自在に配置し、この本体ケース内であって、前記電池ケースの回動引出時に、本体ケース外に表出する部分に、フィッテイング用の第一の通信用端子を配置し、前記電池ケースには、この電池ケースの前記本体ケース内への回動収納時に、本体ケースに係合させる第一のロック用突起と、この本体ケース内の前記第一の通信用端子に対向する押圧突起とを設けた補聴器。
【請求項２】
本体ケースの後端部に、電池ケースに設けた第一のロック用突起が係合する第二のロック用突起を設け、電池ケースを前記本体ケース内に回動収納させる方向の、この本体ケースの第二のロック用突起後方部分には、フィッテイング用の第二の通信用端子を挿入するための挿入口を設けた請求項１に記載の補聴器。
【請求項３】
本体ケースの挿入口の奥側に、フィッテイング用の第一の通信用端子を配置した請求項２に記載の補聴器。
【請求項４】
電池ケースの、この電池ケースを、本体ケース内に回動収納させる方向の、第一のロック用突起後方部分に押圧突起を設けた請求項１から３のいずれか一つに記載の補聴器。
【請求項５】
電池ケースの回動軸は、この電池ケースの第一のロック用突起よりも上方に配置した請求項１から４のいずれか一つに記載の補聴器。
【発明の詳細な説明】
【技術分野】
【０００１】
本発明は、耳掛け式の補聴器に関する。
【背景技術】
【０００２】
従来のこの種、耳掛け式補聴器の構成は、次のようになっていた。すなわち、耳掛用に湾曲させた耳掛け部と、この耳掛け部の前端側に結合したイヤホンと、前記耳掛け部の後端側に結合した本体ケースとを備え、前記本体ケースは、その前端側から後端側に向けて、放物線状に湾曲しながら下方に下がった形状としている。また、この本体ケース内には、前方側マイクロフォンと、後方側マイクロフォンを配置し、この本体ケースの外壁面で、本体ケースの前端側部分に設けた前方側音孔と前記前方側マイクロフォンは、前方側導音路を介して音響的に接続し、前記前方側音孔よりも後方の本体ケースの外壁面に設けた後方側音孔と前記後方側マイクロフォンは、後方側導音路を介して音響的に接続している。さらに、前記本体ケースの後端部内には、電池ケースを回動出没自在に配置している。
【０００３】
また、この電池ケースには、この電池ケースを前記本体ケース内に回動収納した場合に、この本体ケースに係合させる第一のロック用突起と、この本体ケース内のフィッテイング用の第一の通信用端子に対向する押圧突起とを有する構成となっていた（例えば、下記特許文献１）。そして、この補聴器を使用するときには、先ずは、耳の上側に、前記耳掛け部を掛け、次にその状態でイヤホンを耳管に当接、または挿入する。この時、本体ケースは、その前端側から後端側に向けて、放物線状に湾曲しながら下方に下がった形状となっているので、この使用時には、耳の後ろ側にそった状態で配置される。
【先行技術文献】
【特許文献】
【０００４】
【特許文献１】米国特許第６０８８４６５号明細書
【発明の概要】
【発明が解決しようとする課題】
【０００５】
上記従来例において、フィッテイングを行うには、先ずは電池ケースを本体ケース外に回動引出し、次にその状態で本体ケース内に配置しているフィッテイング用の第一の通信用端子に向けて、本体ケース外からフィッテイング用の第二の通信用端子を挿入し、その後電池ケースを本体ケース内に回動収納させる。すると、電池ケースに設けた押圧突起により、第一、第二の通信用端子が押圧され、これにより第一、第二の通信用端子間の電気的な接続が行われることになるので、これにてフィッテイング作業が行われる。
【０００６】
しかしながら、従来構造では、上述したフィッテイング作業を行うために電池ケースを本体ケース内に回動引出しても、この本体ケース内に配置したフィッテイング用の第一の通信用端子は目視できないので、実態としては第一、第二の通信用端子が適切な配置になっているか、否かが確認できない。このため、電池ケースを回動収納させ、この電池ケースに設けた押圧突起により、第一、第二の通信用端子を押圧しても、第一、第二の通信用端子間の電気的な接続が確実に行われないこともあり、これによりフィッテイング作業がスムーズに行えないことがあった。
【０００７】
そこで本発明は、フィッテイング作業がスムーズに行えるようにすることを目的とするものである。
【課題を解決するための手段】
【０００８】
本発明は、耳掛用に湾曲させた耳掛け部と、この耳掛け部の前端側に結合したイヤホンと、前記耳掛け部の後端側に結合した本体ケースとを備え、前記本体ケースは、その前端側から後端側に向けて、放物線状に湾曲しながら下方に下がった形状とし、この本体ケース内に前方側マイクロフォンと、後方側マイクロフォンを配置するとともに、この本体ケースの外壁面で、本体ケースの前端側部分に設けた前方側音孔と前記前方側マイクロフォンは、前方側導音路を介して音響的に接続し、前記前方側音孔よりも後方の本体ケースの外壁面に設けた後方側音孔と前記後方側マイクロフォンは、後方側導音路を介して音響的に接続し、前記本体ケースの後端部内には、電池ケースを回動出没自在に配置し、この本体ケース内であって、前記電池ケースの回動引出時に、本体ケース外に表出する部分に、フィッテイング用の第一の通信用端子を配置し、前記電池ケースには、この電池ケースの前記本体ケース内への回動収納時に、本体ケースに係合させる第一のロック用突起と、この本体ケース内の前記第一の通信用端子に対向する押圧突起とを設けたものであるので、フィッテイング作業がスムーズに行えることになる。
【発明の効果】
【０００９】
本発明においては、フィッテイングを行うために、電池ケースを回動引出すると、フィッテイング用の第一の通信用端子が本体ケース外に表出するので、この第一の通信用端子と、本体ケース外から挿入したフィッテイング用の第二の通信用端子との接合状態を、目視確認することができる。このため、その後、電池ケースを本体ケース内に回動収納させれば、この電池ケースに設けた押圧突起により、第一、第二の通信用端子が押圧され、これにより第一、第二の通信用端子間の電気的な接続が確実に行われることになるので、フィッテイング作業がスムーズに行えることになるのである。
【図面の簡単な説明】
【００１０】
【図１】（ａ）は、本発明の一実施形態の正面図、（ｂ）は、図１（ａ）のＢ−Ｂ線断面図
【図２】（ａ）は、本発明の一実施形態の正面図、（ｂ）は、図２（ａ）のＢ−Ｂ線断面図、（ｃ）は、図２（ａ）のＣ−Ｃ線断面図、（ｄ）は、図２（ａ）のＤ−Ｄ線断面図
【図３】本発明の一実施形態の正面断面図
【図４】本発明の一実施形態の正面断面図
【図５】本発明の一実施形態の正面拡大断面図
【図６】本発明の一実施形態の正面拡大断面図
【発明を実施するための形態】
【００１１】
以下、本発明の一実施の形態の補聴器について、図面を参照しながら説明する。
（実施の形態１）
図１、図２は本発明の一実施形態にかかる補聴器を示し、これは右耳装着用である。本実施形態の補聴器は、これらの図１、図２に示すように、耳掛用に略半円状に湾曲させた耳掛け部１と、この耳掛け部１の前端側に結合したイヤホン２と、前記耳掛け部１の後端側に結合した本体ケース３とを備えている。本体ケース３は、これらの図１、図２に示すように、その前端側から後端側に向けて、放物線状に湾曲しながら下方に下がった形状となっており、使用時には、耳の後ろ側にそった状態で配置される。つまり、この補聴器を使用するときには、先ずは、耳の上側に、前記耳掛け部１を掛け、次にその状態でイヤホン２を耳管（図示せず）に当接、または挿入すれば、上述のごとく、本体ケース３は、耳の後ろ側にそった状態で配置されるのである。
【００１２】
また、前記耳掛け部１には、図３、図４に示すごとく前記イヤホン２と本体ケース３を電気的に接続する配線４が内蔵されている。また、前記本体ケース３内には、この図３に示すように、その前端側から後端側に向けて、電気的接続手段５と、前方側マイクロフォン６、後方側マイクロフォン７、制御素子８、電池９とを順に内蔵させている。なお、前方側マイクロフォン６の後方側と、後方側マイクロフォン７の前方側は、この図３に示すように本体ケース３内において、本体ケース３の前端と後端間の長手方向において、重なった状態となっている。
【００１３】
また、後方側マイクロフォン７の後方側と、制御素子８の前方側は、この図３に示すように本体ケース３内において、本体ケース３の前端と後端間の長手方向において、重なった状態となっている。つまり、このように前方側マイクロフォン６、後方側マイクロフォン７、制御素子８を、この図３に示すように本体ケース３内において、本体ケース３の前端と後端間の長手方向において、重なった状態とすることにより、上述した湾曲形状の本体ケース３内に、これらの前方側マイクロフォン６、後方側マイクロフォン７、制御素子８をコンパクトに収納しているのである。
【００１４】
電気的接続手段５は、本実施形態では、配線４の後端に結合したプラグ５ａと、このプラグ５ａを機械的、電気的に着脱自在に結合したプラグ受け５ｂとにより構成しており、このうちプラグ受け５ｂはこの図３に示すように本体ケース３内に固定配置している。このため、これらのプラグ５ａとプラグ受け５ｂとを結合するときには、本体ケース３の前端開口部３ａからプラグ５ａを本体ケース３内に挿入し、これによりプラグ５ａをプラグ受け５ｂに機械的、電気的に着脱自在に結合する。
【００１５】
なお、本体ケース３は左右兼用のもので、この図３に示す右耳装着用のものを、左耳装着用に変換するためには、左耳用のイヤホン（図示せず）、耳掛け部１、プラグ５ａが装着されたものを用意し、この左耳用のプラグ５ａをプラグ受け５ｂに機械的、電気的に着脱自在に結合すれば良い。もちろん、図３において、プラグ５ａ、耳掛け部１を外さず、右耳用のイヤホン２だけを外して、左耳用のイヤホン（図示せず）を交換しても良い。
さて、このように湾曲形状となった本体ケース３の外壁面で、前記電気的接続手段５を構成するプラグ受け５ｂの外周部分には、前方側音孔３ｂを設けるとともに、この前方側音孔３ｂよりも後方で、制御素子８の外周部分に位置する本体ケース３の外壁面には図１〜図３のごとく後方側音孔３ｃを設けている。なお、これらの前方側音孔３ｂ、および後方側音孔３ｃは、図１〜図３からも理解されるように、本体ケース３の前端側から後端側に向けた線の両側に設けており、これにより上述した左右兼用ができるようにしている。
【００１６】
本実施形態における特徴点の一つは、上述したように、湾曲形状となった本体ケース３の外壁面で、前記電気的接続手段５を構成するプラグ受け５ｂの外周部分に、前方側音孔３ｂを設けたことである。この点をさらに詳細に説明すると、本体ケース３の内壁面と、前記電気的接続手段５を構成するプラグ受け５ｂの外周部分間には、図３に示すように空間Ａを設けており、この空間Ａに対応する本体ケース３の外壁面に、前方側音孔３ｂを設けている。
【００１７】
また、図１、図３からも理解されるように、プラグ受け５ｂと前方側マイクロフォン６間にも空間Ｂを設けており、これらの空間Ａ、Ｂで形成した前方側導音路１０を介して、前方側音孔３ｂと前方側マイクロフォン６とを音響的に結合している。また、前方側導音路１０の前方側マイクロフォン６手前部分には、防塵用のフィルター１１を設けている。このため、前方側音孔３ｂから本体ケース３内に入った音は、前方側導音路１０、防塵用のフィルター１１を介して前方側マイクロフォン６に伝えられ、この前方側マイクロフォン６で電気信号に変換される。
【００１８】
同じように、後方側音孔３ｃから本体ケース３内に入った音は、防塵用のフィルター１２を介して後方側マイクロフォン７に伝えられ、この後方側マイクロフォン７で電気信号に変換される。そして、これらの前方側マイクロフォン６、後方側マイクロフォン７で変換された電気信号が制御素子８により処理され、増幅され、配線４を介してイヤホン２に伝達され、補聴作用を発揮する。
【００１９】
以上本実施形態の構成をとることにより、前方側音孔３ｂと後方側音孔３ｃの水平方向（使用者の前、後方向）の距離を大きくすることができるので、前方側音孔３ｂと後方側音孔３ｃが捕らえる音の時間差を大きくすることができ、この結果として音源が前方か、後方かを判別しやすくなるものである。また、前方側音孔３ｂと後方側音孔３ｃ間の距離を十分に取れるので、その分本体ケース３自体の大きさを小さくし、またそれによって装着感を向上させることもできる。
【００２０】
ここで比較のために従来例を説明すると、従来は、図１において本体ケース３内のプラグ受け５ｂ部分は、このプラグ受け５ｂが存在するので、仕方なく、空間Ｂに対応する本体ケース３の外壁部分に前方側音孔３ｂを設けていた。このため、この場合には、前方側音孔３ｂと後方側音孔３ｃの水平方向（使用者の前、後方向）の距離が、例えば前方側音孔３ｂ一個分だけ小さくなり、これにより前方側音孔３ｂと後方側音孔３ｃが捕らえる音の時間差が小さくなり、この結果として音源が前方か、後方かを判別しにくくなっていたのである。
【００２１】
それに対して本実施形態では、前方側音孔３ｂと後方側音孔３ｃの水平方向（使用者の前、後方向）の距離が、例えば前方側音孔３ｂ一個分だけ大きくし、これにより前方側音孔３ｂと後方側音孔３ｃが捕らえる音の時間差を大きくし、その結果として音源が前方か、後方かを判別しやすくできるのである。そもそも、本体ケース３は上述のごとく、耳の後ろ側にそった状態で配置されるのであり、水平方向の大きさは小さいものであるので、上述のごとく前方側音孔３ｂ一個分だけでも、前方側音孔３ｂと後方側音孔３ｃの水平方向（使用者の前、後方向）の距離を大きくできるということは、前方側音孔３ｂと後方側音孔３ｃが捕らえる音の時間差を極めて大きくできるということであり、その結果として音源が前方か、後方かを極めて判別しやすいものとできるのである。なお、プラグ受け５ｂの外周部分よりは本体ケース３の前端側部分に前方側音孔３ｂを設ければ、さらにその効果を高くすることができるが、その時には、図１に示すプラグ５ａの外周部分と、  本体ケース３の内周部分との間に空間Ａを設けることが必要となる。
次に、本実施形態における他の特徴点について説明する。本実施形態においては、上述のごとく、前方側マイクロフォン６の後方側と、後方側マイクロフォン７の前方側は、図３に示すように本体ケース３内において、本体ケース３の前端と後端間の長手方向において、重なった状態とし、これによりコンパクトに収納しているのである。
【００２２】
この点をさらに詳細に説明すると、本実施形態では、前記本体ケース３を、図３に示すように、その前端側から後端側に向けて、放物線状に湾曲しながら下方に下がった形状としている。そして、この本体ケース３内で、下方への湾曲部においては、前方側マイクロフォン６と、後方側マイクロフォン７を、それぞれの前端側が上方で、後端側が下方となる斜め状態で、かつ、これらの前方側マイクロフォン６と、後方側マイクロフォン７の一部が上下方向に重なった状態で配置している。
【００２３】
この時、本体ケース３内において、前方側マイクロフォン６は、後方側マイクロフォン７の上方に配置し、前方側マイクロフォン６の後部と、後方側マイクロフォン７の前部を、上下方向に重なった状態としている。そしてこの状態で、前方側マイクロフォン６の前部を、前方側導音路１０を介して前方側音孔３ｂに音響的に接続し、後方側マイクロフォン７の後部を、後方側導音路（図示せず）を介して後方側音孔３ｃに音響的に接続している。
【００２４】
すなわち、本実施形態によれば、前記本体ケース３を、その前端側から後端側に向けて、放物線状に湾曲しながら下方に下がった形状とし、この本体ケース３内で、下方への湾曲部においては、前方側マイクロフォン６と、後方側マイクロフォン７を、それぞれの前端側が上方で、後端側が下方となる斜め状態で、かつ、これらの前方側マイクロフォン６と、後方側マイクロフォン７の一部が上下方向に重なった状態で配置したものであるので、つまり本体ケース３内の湾曲するコーナー部分を斜めに活用し、ここに前方側マイクロフォン６と、後方側マイクロフォン７の一部が上下方向に重なった状態で配置したものであるので、本体ケース３を大きくしなくとも、十分に前方側マイクロフォン６と、後方側マイクロフォン７を配置することが出来るものとなる。このため、本体ケース３の重量を軽く、また小さく目立ちにくくできるので、使用性を高めることができるのである。
またその時に、本体ケース３内において、前方側マイクロフォン６を、後方側マイクロフォン７の上方に配置すれば、前方側マイクロフォン６の前部を、前方側導音路１０を介して前方側音孔３ｂに短距離で音響的に接続することができ、また後方側マイクロフォン７の後部も、後方側導音路（図示せず）を介して後方側音孔３ｃに短距離で音響的に接続することができるので、前方側導音路１０も後方側導音路（図示せず）の体積を小さくし、この点でも本体ケース３をより、小型化することができる。
【００２５】
次に、本実施形態における最も大きな特徴部分について説明する。本実施形態においても、上述のごとく本体ケース３の後端部に、図４〜図６に示すごとく電池９が収納されているが、この電池９交換のために、この電池９は回動自在の電池ケース１３内に着脱自在に収納されている。
【００２６】
これらの図４〜図６に示すごとく、電池ケース１３の回動軸１４は、本体ケース３の後端部で、湾曲内側（装着時の耳側）に設けられており、電池９の交換時には図１の状態で、本体ケース３の外に位置している電池ケース１３の開放突起１３ａを指（図示せず）で図４の右方向に回動させる。すると、電池ケース１３は、この図４に示すように、回動軸１４を中心に回動し、電池ケース１３が本体ケース３外に突出する。このため、この状態で、使用済みの電池９と使用前の電池９を交換することができる。
【００２７】
また、この電池９の交換後には、回動軸１４を中心に、電池ケース１３を図４の左側に回動させ、電池ケース１３を本体ケース３内に収納させる。このように、電池ケース１３を本体ケース３内に収納させた時には、図６に示すごとく、電池ケース１３に設けたロック用突起１３ｂが、本体ケース３のロック用突起３ｄに係合し、これにて電池ケース１３が本体ケース３内にロック状態で収納される。
【００２８】
さて本体ケース３の後端部で、湾曲外側（装着時の耳とは反対側）には、図４〜図６に示すようにフィッテイング用の通信用端子１５を挿入する挿入口１６が設けられている。すなわち、本体ケース３の後端部内で、湾曲外側（装着時の耳とは反対側）には、フィッテイングを行うための通信用端子１７が配置されており、フィッテイング時には、上述した電池ケース１３を図４のごとく開放し、その状態で、挿入口１６から通信用端子１５を図４、図５のごとく挿入する。この時、電池ケース１３が開放しているので、通信用端子１５の挿入状態、および通信用端子１５、１７との相対位置を目視確認することができ、作業性の良いものとなる。
【００２９】
本実施形態においては、フィッテイング時に上述した、通信用端子１５の挿入状態、および通信用端子１５、１７との相対位置を目視確認することができるようにするために、具体的には次のような構成としている。先ず、本体ケース３の後端部内には、電池ケース１３を回動出没自在に配置している。この時、電池ケース１３の回動軸１４は、この電池ケース１３のロック用突起１３ｂよりも上方に配置しており、この内、回動軸１４は本体ケース１３の湾曲内方側（耳側）に配置し、ロック用突起１３ｂは湾曲外方側（耳とは反対側）に配置している。
【００３０】
また、本体ケース３の後端部で、湾曲外方側（耳とは反対側）には、電池ケース１３のロック用突起１３ｂが係合するロック用突起３ｄを設けている。さらに、このロック用突起３ｄよりもさらに湾曲外方側（耳とは反対側）に、通信用端子１５を挿入する挿入口１６を設けており、この挿入口１６の奥側（これも本体ケース３の湾曲外方側、つまり耳とは反対側となる）に、通信用端子１７を配置している。また、電池ケース１３を、本体ケース３内に回動収納させる方向（本体ケース３湾曲外方側で、耳とは反対側）の後方側には、上述した押圧突起１３ｃを設けている。
【００３１】
このため、フィッテイング時に、上述した電池ケース１３を図５のごとく開放すれば、電池ケース１３が移動した空間（先程まで電池ケース１が存在していた空間）から通信用端子１７を目視で確認することができ、そしてその状態で挿入口１６から通信用端子１５をこの図５のごとく挿入すれば、通信用端子１５、１７の接合状態も目視で確認することができ、よってこれら通信用端子１５、１７の接合状態を容易に適切化することができる。このため、電池ケース１３を図４、図５の状態から、図６のごとく本体ケース３内に収納させれば、電池ケース１３の押圧突起１３ｃが通信用端子１５を、通信用端子１７に押し付け、これにより通信用端子１５、１７間の適切な電気的接続が行われ、この状態で、制御素子８を駆動すれば、簡単にフィッテイングを行うことができるのである。つまり、本実施形態によれば、通信用端子１５、１７の接合状態を容易に適切化することができるので、フィッテイング作業がスムーズに行えることになるのである。
【産業上の利用可能性】
【００３２】
本発明においては、フィッテイングを行うために、電池ケースを回動引出すると、フィッテイング用の第一の通信用端子が本体ケース外に表出するので、この第一の通信用端子と、本体ケース外から挿入したフィッテイング用の第二の通信用端子との接合状態を、目視確認することができる。このため、その後、電池ケースを本体ケース内に回動収納させれば、この電池ケースに設けた押圧突起により、第一、第二の通信用端子が押圧され、これにより第一、第二の通信用端子間の電気的な接続が確実に行われることになるので、フィッテイング作業がスムーズに行えることになるのである。したがって、補聴器として、活用が期待されるものとなる。
【符号の説明】
【００３３】
１    耳掛け部
２    イヤホン
３    本体ケース
３ａ    前端開口部
３ｂ    前方側音孔
３ｃ    後方側音孔
３ｄ    ロック用突起
４    配線
５    電気的接続手段
５ａ    プラグ
５ｂ    プラグ受け
６    前方側マイクロフォン
７    後方側マイクロフォン
８    制御素子
９    電池
１０    前方側導音路
１１、１２    防塵用のフィルター
１３    電池ケース
１３ａ    開放突起
１３ｂ    ロック用突起
１３ｃ    押圧突起
１４    回動軸
１５    通信用端子
１６    挿入口
１７    通信用端子
【図１】
2011009799.tif 000003
【図２】
2011009799.tif 000004
【図３】
2011009799.tif 000005
【図４】
2011009799.tif 000006
【図５】
2011009799.tif 000007
【図６】
2011009799.tif 000008
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
耳掛用に湾曲させた耳掛け部と、この耳掛け部の前端側に結合したイヤホンと、前記耳掛け部の後端側に結合した本体ケースとを備え、
前記本体ケースは、その前端側から後端側に向けて、放物線状に湾曲しながら下方に下がった形状とし、
前記本体ケースの後端部内には、電池ケースを回動出没自在に配置し、この本体ケース内であって、前記電池ケースの回動引出時に、目視確認できるように、フィッテイング用の第一の通信用端子を配置し、
前記電池ケースには、この電池ケースの前記本体ケース内への回動収納時に、前記本体ケースに係合させる第一のロック用突起と、この本体ケース内の前記第一の通信用端子に対向する押圧突起とを設けた補聴器。
【請求項２】
前記本体ケースの後端部に、前記電池ケースに設けた前記第一のロック用突起が係合する第二のロック用突起を設け、前記電池ケースを前記本体ケース内に回動収納させる方向の、この本体ケースの前記第二のロック用突起後方部分には、フィッテイング用の第二の通信用端子を挿入するための挿入口を設けた請求項１に記載の補聴器。
【請求項３】
前記本体ケースの挿入口の奥側に、フィッテイング用の前記第一の通信用端子を配置した請求項２に記載の補聴器。
【請求項４】
前記電池ケースの、この電池ケースを、前記本体ケース内に回動収納させる方向の、前記第一のロック用突起後方部分に押圧突起を設けた請求項１から３のいずれか一つに記載の補聴器。
【請求項５】
前記電池ケースの回動軸は、この電池ケースの前記第一のロック用突起よりも上方に配置した請求項１から４のいずれか一つに記載の補聴器。
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
耳掛用に湾曲させた耳掛け部と、この耳掛け部の前端側に結合したイヤホンと、前記耳掛け部の後端側に結合した本体ケースとを備え、
前記本体ケースは、その前端側から後端側に向けて、放物線状に湾曲しながら下方に下がった形状とし、
前記本体ケースの後端部内には、電池ケースを回動出没自在に配置し、
この本体ケース内であって、前記電池ケースの回動引出時に、前記本体ケース外に表出する前記本体ケースの湾曲外方側部分に、フィッテイング用の第一の通信用端子を配置し、
前記電池ケースには、この電池ケースの前記本体ケース内への回動収納時に、前記本体ケースに係合させる第一のロック用突起と、この本体ケース内の前記第一の通信用端子に対向する押圧突起とを設け、
前記電池ケースの回動軸は、前記本体ケースの湾曲内方側で、かつ、前記電池ケース収納時に前記電池ケースの前記第一のロック用突起よりも上方に配置した、補聴器。
【請求項２】
前記本体ケースの後端部に、前記電池ケースに設けた前記第一のロック用突起が係合する第二のロック用突起を設け、前記電池ケースを前記本体ケース内に回動収納させる方向の、この本体ケースの前記第二のロック用突起後方部分には、フィッテイング用の第二の通信用端子を挿入するための挿入口を設けた請求項１に記載の補聴器。
【請求項３】
前記本体ケースの挿入口の奥側に、フィッテイング用の前記第一の通信用端子を配置した請求項２に記載の補聴器。
【請求項４】
前記電池ケースの、この電池ケースを、前記本体ケース内に回動収納させる方向の、前記第一のロック用突起後方部分に押圧突起を設けた請求項１から３のいずれか一つに記載の補聴器。
【手続補正２】
【補正対象書類名】明細書
【補正対象項目名】０００８
【補正方法】変更
【補正の内容】
【０００８】
本発明の補聴器は、耳掛用に湾曲させた耳掛け部と、この耳掛け部の前端側に結合したイヤホンと、前記耳掛け部の後端側に結合した本体ケースとを備え、前記本体ケースは、その前端側から後端側に向けて、放物線状に湾曲しながら下方に下がった形状とし、前記本体ケースの後端部内には、電池ケースを回動出没自在に配置し、この本体ケース内であって、前記電池ケースの回動引出時に、前記本体ケース外に表出する前記本体ケースの湾曲外方側部分に、フィッテイング用の第一の通信用端子を配置し、前記電池ケースには、この電池ケースの前記本体ケース内への回動収納時に、前記本体ケースに係合させる第一のロック用突起と、この本体ケース内の前記第一の通信用端子に対向する押圧突起とを設け、前記電池ケースの回動軸は、前記本体ケースの湾曲内方側で、かつ、前記電池ケース収納時に前記電池ケースの前記第一のロック用突起よりも上方に配置し、これにより上記の課題を解決する。
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
耳掛用に湾曲させた耳掛け部と、この耳掛け部の前端側に結合したイヤホンと、前記耳掛け部の後端側に結合した本体ケースとを備え、
前記本体ケースは、その前端側から後端側に向けて、放物線状に湾曲しながら下方に下がった形状とし、
前記本体ケースの後端部内には、電池ケースを回動出没自在に配置し、
この本体ケース内であって、前記本体ケースの湾曲外方側部分にフィッテイング用の第一の通信用端子を配置し、前記第一の通信用端子は、外部から挿入されるフィッテイング用の第二の通信用端子と接合されて電気的接続が行なわれ、前記電池ケースの回動引出時に、前記第一の通信用端子と前記第二の通信用端子とが前記本体ケース外から目視可能であり、
前記電池ケースには、この電池ケースの前記本体ケース内への回動収納時に、前記本体ケースに係合させる第一のロック用突起と、この本体ケース内の前記第一の通信用端子に対向する押圧突起とを設け、
前記電池ケースの回動軸は、前記本体ケースの湾曲内方側で、かつ、前記電池ケース収納時に前記電池ケースの前記第一のロック用突起よりも上方に配置した、補聴器。
【請求項２】
前記本体ケースの後端部に、前記電池ケースに設けた前記第一のロック用突起が係合する第二のロック用突起を設け、前記電池ケースを前記本体ケース内に回動収納させる方向の、この本体ケースの前記第二のロック用突起後方部分には、前記第二の通信用端子を挿入するための挿入口を設けた請求項１に記載の補聴器。
【請求項３】
前記本体ケースの挿入口の奥側に、前記第一の通信用端子を配置した請求項２に記載の補聴器。
【請求項４】
前記電池ケースの、この電池ケースを、前記本体ケース内に回動収納させる方向の、前記第一のロック用突起後方部分に押圧突起を設けた請求項１から３のいずれか一つに記載の補聴器。
【手続補正２】
【補正対象書類名】明細書
【補正対象項目名】０００８
【補正方法】変更
【補正の内容】
【０００８】
本発明の補聴器は、耳掛用に湾曲させた耳掛け部と、この耳掛け部の前端側に結合したイヤホンと、前記耳掛け部の後端側に結合した本体ケースとを備え、前記本体ケースは、その前端側から後端側に向けて、放物線状に湾曲しながら下方に下がった形状とし、前記本体ケースの後端部内には、電池ケースを回動出没自在に配置し、この本体ケース内であって、前記本体ケースの湾曲外方側部分にフィッテイング用の第一の通信用端子を配置し、前記第一の通信用端子は、外部から挿入されるフィッテイング用の第二の通信用端子と接合されて電気的接続が行なわれ、前記電池ケースの回動引出時に、前記第一の通信用端子と前記第二の通信用端子とが前記本体ケース外から目視可能であり、前記電池ケースには、この電池ケースの前記本体ケース内への回動収納時に、前記本体ケースに係合させる第一のロック用突起と、この本体ケース内の前記第一の通信用端子に対向する押圧突起とを設け、前記電池ケースの回動軸は、前記本体ケースの湾曲内方側で、かつ、前記電池ケース収納時に前記電池ケースの前記第一のロック用突起よりも上方に配置し、これにより上記の課題を解決する。